(57)【要約】【課題】油撃が発生した場合に、もしくは発生する可能性がある場合に、その油撃を要因とする衝撃や振動などの違和感や不快感を抑制もしくは防止することのできる油圧制御装置を提供する。【解決手段】油圧源からアクチュエータに圧油を供給する油圧供給バルブと、前記アクチュエータと前記油圧供給バルブとの間に設けられ、前記アクチュエータの圧油を少なくとも供給する状態と、供給を停止する状態とに切り替えることのできる切替バルブとを備えた油圧制御装置において、前記アクチュエータに圧油を供給している状態から供給を停止する状態に、前記切替バルブにより切り替えられることに起因して発生する油撃を抑制する油撃抑制手段（ステップＳ３）を備えている。【選択図】図１
2012047193.tif 000002
【特許請求の範囲】
【請求項１】
油圧源からアクチュエータに圧油を供給する油圧供給バルブと、前記アクチュエータと前記油圧供給バルブとの間に設けられ、前記アクチュエータの圧油を少なくとも供給する状態と、供給を停止する状態とに切り替えることのできる切替バルブとを備えた油圧制御装置において、
前記アクチュエータに圧油を供給している状態から供給を停止する状態に、前記切替バルブにより切り替えられることに起因して発生する油撃を抑制する油撃抑制手段を備えていることを特徴とする油圧制御装置。
【請求項２】
前記油圧供給バルブと前記アクチュエータとに連通された油路が設けられ、
前記油撃抑制手段は、前記油路に連通して連結され、かつ該油路内の油圧を低下させることのできるバルブを含むことを特徴とする請求項１に記載の油圧制御装置。
【請求項３】
前記油撃抑制手段は、前記油路の圧油を排出するように構成された油圧排出バルブを含み、
該油圧排出バルブの出力ポートの開閉を選択的に制御することができるように構成されていることを特徴とする請求項２に記載の油圧制御装置。
【請求項４】
前記切替バルブにより選択されている状態を検出する検出手段と、
該検出手段により前記アクチュエータに圧油が供給されている状態からその供給を停止した状態に切り替えられたことを検出した場合に、前記油圧排出バルブを開く手段と
を更に備えていることを特徴とする請求項３に記載の油圧制御装置。
【請求項５】
前記油撃抑制手段は、前記油路の油圧が予め定めた油圧以下でバルブが閉じるように構成されていることを特徴とする請求項２ないし４のいずれかに記載の油圧制御装置。
【発明の詳細な説明】
【技術分野】
【０００１】
この発明は、各種のアクチュエータに油圧を供給する状態と排出する状態もしくは供給を停止する状態とを選択的に切り替えられる手段を備えた油圧制御装置に関するものである。
【背景技術】
【０００２】
従来、油圧を供給することによりクラッチやブレーキなどが係合するように構成された油圧制御装置が知られている。また、車両の自動変速機のうち変速比を連続的に変化させることのできる無段変速機では、油圧を給排して変速比を変化させ、もしくはその変速機における動力伝達部材の挟圧力を設定するものが知られている。
【０００３】
特許文献１には、一対のプーリとそれらのプーリに巻き掛けられてトルクを伝達するベルトとで構成されたベルト式無段変速機が記載されている。そのベルト式無段変速機は、それぞれのプーリにシリンダが設けられ、それらのシリンダに油圧を供給する油圧供給用制御バルブとそのシリンダの圧油を排出する油圧排出用制御バルブとがそれぞれ設けられている。したがって、特許文献１に記載されたベルト式無段変速機は、変速比を変化させたり、挟圧力を変化させたりする場合に、油圧供給用制御バルブと油圧排出用制御バルブとのいずれかもしくは双方を開閉して行うように構成されている。
【先行技術文献】
【特許文献】
【０００４】
【特許文献１】欧州特許第０９８５８５５号明細書
【発明の概要】
【発明が解決しようとする課題】
【０００５】
上述した特許文献１に記載された装置は、油圧供給用制御バルブと油圧排出用制御バルブとを備えていて、それらの各制御バルブは、電磁力を利用して開閉することができる制御バルブである。したがって、例えば、変速比を一定に保つ場合は、各制御バルブを閉じた状態にすればよい。しかしながら、油圧制御装置に用いられている各種のアクチュエータの中には、供給状態と停止状態と排出状態とに切り替えられて使用されるものもあり、この種のアクチュエータでは、油圧を供給している状態から供給停止状態に急速に切り替えられる場合があり、そのような場合、圧油の慣性エネルギなどが要因となって油撃が生じる可能性がある。
【０００６】
この発明は、上述した技術的な課題に着目したものであり、油撃が発生した場合に、もしくは発生する可能性がある場合に、その油撃を要因とする衝撃や振動などの違和感や不快感を抑制もしくは防止することのできる油圧制御装置を提供することを目的とするものである。
【課題を解決するための手段】
【０００７】
上記の目的を達成するために請求項１の発明は、油圧源からアクチュエータに圧油を供給する油圧供給バルブと、前記アクチュエータと前記油圧供給バルブとの間に設けられ、前記アクチュエータの圧油を少なくとも供給する状態と、供給を停止する状態とに切り替えることのできる切替バルブとを備えた油圧制御装置において、前記アクチュエータに圧油を供給している状態から供給を停止する状態に、前記切替バルブにより切り替えられることに起因して発生する油撃を抑制する油撃抑制手段を備えていることを特徴とするものである。
【０００８】
請求項２の発明は、請求項１の構成に加えて、前記油圧供給バルブと前記アクチュエータとに連通された油路が設けられ、前記油撃抑制手段は、前記油路に連通して連結され、かつ該油路内の油圧を低下させることのできるバルブを含むことを特徴とする油圧制御装置である。
【０００９】
請求項３の発明は、請求項２の構成に加えて、前記油撃抑制手段は、前記油路の圧油を排出するように構成された油圧排出バルブを含み、該油圧排出バルブの出力ポートの開閉を選択的に制御することができるように構成されていることを特徴とする油圧制御装置である。
【００１０】
請求項４の発明は、請求項３の構成に加えて、前記切替バルブにより選択されている状態を検出する検出手段と、該検出手段により前記アクチュエータに圧油が供給されている状態からその供給を停止した状態に切り替えられたことを検出した場合に、前記油圧排出バルブを開く手段とを更に備えていることを特徴とする油圧制御装置である。
【００１１】
そして、請求項５の発明は、請求項２ないし４のいずれかの構成に加えて、前記油撃抑制手段は、前記油路の油圧が予め定めた油圧以下でバルブが閉じるように構成されていることを特徴とする油圧制御装置である。
【発明の効果】
【００１２】
この発明によれば、油圧源からアクチュエータに圧油を供給する油圧供給バルブと、アクチュエータの圧油の供給状態と、その供給の停止状態とを少なくとも切り替えられる切替バルブとが備えられているので、切替バルブによりそのアクチュエータの油圧を制御することができる。また、その切替バルブによりアクチュエータに圧油を供給している状態から停止した状態に切り替えた場合に生じる油撃を抑制する油撃抑制手段が設けられているので、その油撃を防止もしくは抑制することができる。具体的には、その油撃抑制手段が、アクチュエータと油圧供給バルブとに連通する油路に設けられ、その油路内の油圧を低下させるバルブが設けられているので、油撃が生じた場合に、その油撃により増圧した圧油を低下させることができる。さらに、その油撃抑制手段が、出力ポートの開閉動作を制御することができる油圧排出バルブである場合には、切替バルブが切り替えられると同時に、もしくは切り替えの要求があった場合に、その油圧排出バルブを開弁して油路の油圧を低下させることにより、油撃が生じた場合でも、その油撃により増圧した油圧を排出でき、もしくは油撃が生じるより以前に油路の油圧を低下させることができる。
【００１３】
さらに、油撃抑制手段のバルブが、油路の油圧が予め定めた油圧以下となると閉じるように構成されているので、切替バルブが切り替わることによりアクチュエータに圧油を供給する場合でも、その供給の遅れを防止もしくは抑制することができる。
【図面の簡単な説明】
【００１４】
【図１】この発明に係る制御例を説明するためのフローチャートである。
【図２】この発明に係る油圧制御装置の構成例を成を示す模式図である。
【図３】この発明に係る油圧制御装置を搭載することのできる車両のパワートレーンの構成例を示す概略図である。
【発明を実施するための形態】
【００１５】
つぎにこの発明に係る油圧制御装置を車両における油圧制御装置に搭載した例を挙げて説明する。図２は、その車両の油圧回路を模式的に示したものである。まず、この発明に係る油圧制御装置の構成例について説明すると、その油圧制御装置を含む車両全体としての油圧回路の油圧源であるオイルポンプ１が、オイルパン２に溜められたオイルを汲み上げて各部材に供給するために設けられている。そのオイルポンプ１は、車両の動力源である内燃機関や電動機により駆動させられるように構成されていて、図に示す例では、そのオイルポンプ１を駆動させるためのエンジン３が連結されている。なお、このオイルポンプ１は、車両の動力源を利用して駆動するものに限定されず、そのオイルポンプ１を駆動させるために他のモータを設けたいわゆる電動オイルポンプでもよい。
【００１６】
そのオイルポンプ１から出力された圧油は、そのオイルポンプ１に連通した油路Ａを通って、この発明の供給用バルブに相当するクラッチ・ブレーキ用ソレノイドバルブ（以下、ＣＢソレノイドバルブ４と記す。）に供給される。なお、オイルポンプ１とＣＢソレノイドバルブ４との間の油路Ａには、その油路Ａ内の圧油の逆流を防止する逆止弁５が設けられている。このＣＢソレノイドバルブ４は、入力ポートに弁体を密着させて密封するポペット弁を利用したものである。ここで、そのポペット型ソレノイドバルブについて簡単に説明すると、そのポペット型ソレノイドバルブは、弁体と一体に形成された磁性体であるシャフトと、そのシャフトを入力ポート側に押圧するバネとを有し、そのシャフトの外周側には、そのシャフトをバネ力に対向させる方向に電磁力を発生させるコイルが配置されている。したがって、このポペット型ソレノイドバルブは、そのコイルに流す電流値に応じて入力ポートを開閉するように構成されている。
【００１７】
そして、ＣＢソレノイドバルブ４の出力ポートに連通した油路Ｂとこの発明のアクチュエータに相当する前進クラッチ６および後退ブレーキ７との間には、その前進クラッチ６もしくは後退ブレーキ７と油路Ｂとを連通させた状態と遮断した状態とを選択的に切り替えられる切替バルブ８が設けられている。この切替バルブ８は、シフトレバー８ａと連結されていて、そのシフトレバー８ａによりＤレンジやＮレンジもしくはＲレンジが切り替えられるように構成されている。つまり、シフトレバー８ａによりＤレンジが選択されると、油路Ｂと前進クラッチ６とが連通して前進クラッチ６に圧油が供給され、かつ後退ブレーキ７とオイルパン２とが連通し後退ブレーキ７の圧油が排出される。また、Ｒレンジが選択されると、Ｄレンジとは反対に、油路Ｂと後退ブレーキ７とが連通して後退ブレーキ７に圧油が供給され、かつ前進クラッチ６とオイルパン２とが連通し前進クラッチ６の圧油が排出される。さらに、Ｎレンジが選択されると油路Ｂと前進クラッチ６および後退ブレーキ７とが遮断され、前進クラッチ６および後退ブレーキ７の圧油はオイルパン２に排出される。なお、シフトレバー８ａは図示しない電子制御装置（ＥＣＵ）と電気的に接続されていて、そのシフトレバー８ａで選択したレンジを信号として電子制御装置に入力している。
【００１８】
また、その油路Ｂには、この発明の油撃抑制手段に相当する排出用ソレノイドバルブ９が連通している。この排出用ソレノイドバルブ９も上述したＣＢソレノイドバルブ４と同様にポペット型のソレノイドバルブであり、そのコイルに流す電流値に応じて出力ポートを開閉するように構成されている。さらに、その油路Ｂには、油路Ｂ内の油圧を検出する油圧検出器（Ｐｃｂ）１０が設けられている。この油圧検出器（Ｐｃｂ）１０は、電子制御装置と電気的に接続されていて、その油路Ｂの油圧を信号として電子制御装置に入力している。なお、上述したＣＢソレノイドバルブ４および排出用ソレノイドバルブ９は、ポペット型ソレノイドバルブに限定されず、スプール弁を利用したソレノイドバルブであってもよく、もしくは油圧により開閉動作が制御される油圧駆動弁であってもよい。
【００１９】
ここで、他の油圧回路の構成について簡単に説明すると、オイルポンプ１は、前記ＣＢソレノイドバルブ４と連結している以外に、プライマリレギュレータバルブ１１と連通している。つまり、オイルポンプ１は、ＣＢソレノイドバルブ４とプライマリレギュレータバルブ１１との双方に圧油を供給するように構成されている。このプライマリレギュレータバルブ４は、スプール弁などを利用した調圧制御バルブであって、所定の油圧に至ると出力ポートを開くように構成されたものである。したがって、油路Ａ内の油圧が目標油圧に対して低い場合は、プライマリレギュレータ１１の出力ポートを閉じた状態としてその油圧を増圧させ、また、油路Ａの油圧が高い場合には、出力ポートが開いて油路Ｃに圧油を供給するように構成されている。
【００２０】
そして、プライマリレギュレータ１１は、油路Ｃを介してロックアップコントロールバルブ１２と連通している。このロックアップコントロールバルブ１２は、流体の運動エネルギを利用して動力を伝達するトルクコンバータ１３の伝達トルクを制御するものである。つまり、ロックアップコントロールバルブ１２から、そのトルクコンバータ１３に設けられたロックアップクラッチ２９に圧油を供給することによって、トルクコンバータ１３の伝達トルクを制御するように構成されている。
【００２１】
一方、プライマリレギュレータバルブ１１は、前記ロックアップコントロールバルブ１２と連結されている以外に、セカンダリレギュレータバルブ１４と連通している。このセカンダリレギュレータ１４は、油路Ｃの油圧が所定値以上になると出力ポートを開いて、その油路Ｃ内の圧油を排出して減圧させるものである。言い換えると、油路Ｃ内の油圧の上限値を制御するように構成されている。そして、そのセカンダリレギュレータ１４から出力された圧油の一部は、図示しないギヤトレーン部やモータなどの潤滑油もしくは冷却油として利用され、その他の圧油は、オイルパン２に戻される。
【００２２】
また、前記逆止弁５とＣＢソレノイドバルブ４との間の油路Ｄには、一時的に圧油を蓄えることのできるアキュムレータ１５が連通して、その油路Ｄの油圧を検出する油圧検出器２４が設けられている。さらに、その油路Ｄには、車両の変速機であるベルト式無段変速機のプライマリプーリ１６とセカンダリプーリ１７とに圧油を供給するプライマリソレノイドバルブ１８とセカンダリソレノイドバルブ１９とが連通している。つまり、プライマリソレノイドバルブ１８を開弁してプライマリプーリ１６に付設された油圧室１６ａに圧油を供給し、セカンダリソレノイドバルブ１９を開弁してセカンダリプーリ１７に付設された油圧室１７ａに圧油を供給するように構成されている。また、各ソレノイドバルブ１８，１９と各プーリ１６，１７とに連通する油路Ｅ，Ｆには、それら油路Ｅ，Ｆに連通した排出用ソレノイドバルブ２０，２１が設けられている。これらのソレノイドバルブ１８，１９，２０，２１も上述したＣＢソレノイドバルブ４や排出用ソレノイドバルブ９と同様にポペット型のソレノイドバルブである。したがって、図に示す破線で囲われた部分では、圧油が洩れないように構成されている。なお、前記各油路Ｅ，Ｆには、油圧を検出する油圧検出器２２，２３が設けられていて、それらの油圧検出器２２，２３は、電気的に電子制御装置と接続されている。
【００２３】
上述した各ソレノイドバルブ４，９，１８，１９，２０，２１に流す電流値は、各油圧検出器１０，２２，２３やシフトレバー８ａなどから電子制御装置に入力される信号に基づいて制御される。
【００２４】
つぎに、上述した油圧回路を利用したパワートレーンについて図３を参照しつつ、簡単に説明する。まず、この車両は、走行用の動力源としてエンジン３を有しており、そのエンジン３から駆動輪２５に至る動力伝達経路に、前後進切換装置２６、ベルト式型無段変速機２７（以下、「無段変速機２７」と記す）が設けられている。前記エンジン３は、燃料を燃焼させてその熱エネルギを運動エネルギに変換して出力する動力装置であり、エンジン３としては内燃機関、例えば、ガソリンエンジンまたはディーゼルエンジンまたはＬＰＧエンジンなどを用いることができる。
【００２５】
一方、図３に示された車両においては、エンジン３から駆動輪２５に至る動力伝達経路において、無段変速機２７よりも上流に前後進切換装置２６が設けられている。この前後進切換装置２６は、エンジン３の出力軸と動力伝達可能に接続されたインプットシャフト２８を有している。なお、エンジン３の出力軸とインプットシャフト２８との間には、流体の運動エネルギにより動力伝達をおこなう流体伝動装置のトルクコンバータ１３と、摩擦力により動力伝達をおこなう入力クラッチのロックアップクラッチ２９とが設けられていている。また、前後進切換装置２６は、インプットシャフト２８の回転方向に対して、無段変速機２７のプライマリプーリ１６の回転方向を正逆に切り換えるための装置である。
【００２６】
図３においては、前後進切換装置２６としてダブルピニオン型の遊星歯車機構を用いた例が示されており、その遊星歯車機構は、インプットシャフト２８と一体回転するサンギヤ３０と、このサンギヤ３０と同軸上に設けられたリングギヤ３１と、サンギヤ３０と噛合されたピニオンギヤ３２と、このピニオンギヤ３２およびリングギヤ３１に噛合されたピニオンギヤ３３と、ピニオンギヤ３２，３３を自転かつ公転可能に保持したキャリヤ３４とを有している。このキャリヤ３４とプライマリプーリ１６とが一体回転するように接続されている。
【００２７】
さらに、前後進切換装置２６は、インプットシャフト２８とキャリヤ３４とを選択的に連結および解放する前進クラッチ６を有しており、また、リングギヤ３１を選択的に固定する後退ブレーキ７を有している。この前進クラッチ６および後退ブレーキ７は、油圧制御により係合および解放が制御される摩擦係合装置である。
【００２８】
一方、前記無段変速機２７は、入力回転数と出力回転数との比を無段階に変更することのできるバリエータ（変速部）であり、この無段変速機２７は従来知られているものと同様に構成されている。すなわち、無段変速機２７は、プライマリプーリ１６およびセカンダリプーリ１７にベルト３５を巻き掛けて構成されている。この無段変速機２７においては、プーリ１６，１７の間でトルクを伝達し、かつ各プーリ１６，１７に対するベルト３５の巻き掛け半径を変化させることにより、プライマリプーリ１６とセカンダリプーリ１７との間における変速比が変化するように構成されている。具体的に説明すると、各プーリ１６，１７は、固定シーブとその固定シーブに対して接近・離隔するように配置された可動シーブとを備え、それらの固定シーブと可動シーブとの間にＶ溝状のベルト巻き掛け溝が形成されるように構成されている。そして、プライマリプーリ１６には可動シーブをその軸線に沿った方向に前後動させるための油圧室１６ａを有する油圧アクチュエータが設けられている。一方、セカンダリプーリ１７には可動シーブをその軸線に沿った方向に前後動させるための油圧室１７ａを有する油圧アクチュエータが設けられている。そして、油圧室１６ａには、ベルト３５の巻き掛け半径を変化させて変速比を制御するために油圧が給排され、油圧室１７ａには無段変速機２７のトルク容量を制御するために油圧が給排される。
【００２９】
ところで、上述した前進クラッチ６および後退ブレーキ７に圧油を供給し、もしくは供給を停止する切替バルブ８により、Ｄレンジが選択されて前進クラッチ６に圧油を供給している最中やＲレンジが選択されて後退ブレーキ７に圧油を供給している最中に、Ｎレンジに切り替えられると、油路Ｂを通過した圧油の流れが突如遮断されるので、その圧油の流体密度やその流速に基づく油撃が生じる可能性がある。
【００３０】
そのため、この発明は、その油撃による圧力上昇を抑制もしくは防止するためあるいはその油撃の影響を抑制もしくは防止するために、油撃が発生した場合や油撃の発生を予測した場合は、油路Ｂに設けられた排出用ソレノイドバルブ９を開くように構成された制御装置である。その制御例を説明するためのフローチャートを図１に示す。この制御例では、まず、前進クラッチ６もしくは後退ブレーキ７が係合している最中か否かを判断する（ステップＳ１）。このステップＳ１で否定的に判断された場合、すなわちＮレンジが選択されて油路Ｂが切替バルブ８で閉止されている場合や、前進クラッチ６や後退ブレーキ７が一定の油圧に保たれて油路Ｂ内の流れがない場合などでは、ＣＢソレノイドバルブ４が閉じられて油路Ｂ内に圧油を供給していないので、油撃が発生しない。したがって、ＣＢソレノイドバルブ４および排出用ソレノイドバルブ９を閉じた状態を維持して（ステップＳ７）、この制御を一旦終了する。
【００３１】
一方、ステップＳ１で肯定的に判断された場合は、ＤレンジからＮレンジへもしくはＲレンジからＮレンジへの切り替えを検出したか否かを判断する（ステップＳ２）。つまり、切り替えがない場合は、圧油の流れが遮断されることがないので、油撃が発生しない。したがって、ステップＳ２で否定的に判断された場合は、前進クラッチ６や後退ブレーキ７に圧油を供給している状態を維持するために、ＣＢソレノイドバルブ４を開いた状態および排出用ソレノイドバルブ９を閉じた状態を維持して（ステップＳ８）、この制御を一旦終了する。それとは反対に、ステップＳ２で肯定的に判断された場合は、Ｎレンジに切り替えられることにより油路Ｂ内の流れが遮断されて油撃が発生する可能性があるので、ＣＢソレノイドバルブ４を閉じて、排出用ソレノイドバルブ９を開く（ステップＳ３）。これは、油路Ｂから前進クラッチ６もしくは後退ブレーキ７に供給している圧油の流れが遮断されることにより油撃が発生するので、排出用ソレノイドバルブ９を開いて、その油撃の発生により増圧された油圧を排出して、その油撃の影響を抑制もしくは防止するとともに、ＣＢソレノイドバルブ４を閉じて、油撃の発生要因の一つである圧油の供給による慣性エネルギを遮断して、油撃の発生を抑制もしくは防止するためである。
【００３２】
そして、油圧検出器（Ｐｃｂ）１０で検出された油路Ｂの油圧が待機圧以上か否かが判断される（ステップＳ４）。この待機圧とは、前進クラッチ６および後退ブレーキ７の係合に要する油圧であって、再度、ＤレンジもしくはＲレンジが選択された場合に、前進クラッチ６や後退ブレーキ７の係合が遅れないようにするための予め定められた油圧である。このステップＳ４で肯定的に判断された場合は、ＣＢソレノイドバルブ４を閉じた状態および排出用ソレノイドバルブ９を開いた状態を維持して（ステップＳ５）、再度、ステップＳ４を判断する。そして、ステップＳ４で否定的に判断された場合は、油路Ｂ内の油圧が待機圧まで減少しているので、ＣＢソレノイドバルブ４と排出用ソレノイドバルブ９とを閉じて（ステップＳ６）、この制御を一旦終了する。つまり、ステップＳ４の判断は、油路Ｂ内の油圧が待機圧まで減少するのを待って、各バルブ４，９を閉じるように制御している。そのため、油路Ｂ内の油圧は、略待機圧と一致するので、再度、ＤレンジもしくはＲレンジが選択された場合に、前進クラッチ６や後退ブレーキ７に供給する油圧が確保されているので、その油圧の供給遅れを抑制もしくは防止することができる。
【００３３】
上述したように油撃の影響を受ける可能性がある場合に、排出用ソレノイドバルブ９を開くように制御することで、レンジの切り替えによる圧油の流れの遮断によって発生する油撃の発生により増圧された油圧を排出することができ、その結果、油撃の影響を抑制もしくは防止することができる。また、ＣＢソレノイドバルブ９を閉じることにより、油撃の発生要因の一つである圧油の供給による慣性エネルギを遮断することができるので、油撃の発生を抑制もしくは防止することができる。そして、排出用ソレノイドバルブ９を開くことにより油路Ｂ内の油圧を低下させるが、その油圧が待機圧に至ると排出用ソレノイドバルブ９の出力ポートを閉じるので、前進クラッチ６や後退ブレーキ７に供給する油圧を油路Ｂ内に確保することができ、再度、ＤレンジやＲレンジが選択された場合の油圧制御遅れを抑制もしくは防止することができる。
【００３４】
さらに、切替バルブ８がシフトレバー８ａと電気的に連結されて、その切替バルブ８が切り替わるタイミングを制御することができる場合には、そのシフトレバー８ａの操作を検出した後に、ＣＢソレノイドバルブ４を閉じて、排出用ソレノイドバルブ９を開き、更にその後に切替バルブ８を切り替えるように構成してもよい。そのように構成することにより、油路Ｂ内の流れが遮断されて油撃が生じることを抑制もしくは防止することができ、さらに、油路Ｂ内の油圧が減少しているので、油撃が発生したとしても、その油撃の影響を未然に抑制もしくは防止することができる。
【００３５】
なお、この発明は、上述した構成に限定されず、排出用ソレノイドバルブ９は、リリーフバルブであってもよく、アキュムレータであってもよい。つまり、その油路Ｂの圧力が油撃により増圧した場合に、その増圧された油圧に基づいて開弁するバルブであっても同様の効果を得ることができる。また、切替バルブ８は、油圧回路を選択的に切り替えるバルブでなく、要は、その油路Ｂの開閉動作により油撃が生じるので、その油路Ｂを開閉する開閉バルブであってもよい。さらに、この発明は、航空機や船舶もしくは産業機械などの車両以外の油圧制御装置に利用してもよい。
【符号の説明】
【００３６】
１…オイルポンプ、  ４…クラッチ・ブレーキ用ソレノイドバルブ（ＣＢソレノイドバルブ）、  ６…前進クラッチ、  ７…後退ブレーキ、  ８…切替バルブ、  ９，２０，２１…排出用ソレノイドバルブ、    １６，１７…プーリ、  Ａ，Ｂ，Ｃ，Ｄ，Ｅ，Ｆ…油路。
【図１】
2012047193.tif 000003
【図２】
2012047193.tif 000004
【図３】
2012047193.tif 000005